(57)【要約】【課題】  複数枚の断熱パネルを着脱自在に連結して断熱壁面を形成することで、冷凍車両の冷凍庫の断熱パネルを部分的に交換修理することができると共に、その修理コストを低減する。【解決手段】  複数枚の断熱パネル１を断熱パネル連結部材２で着脱自在に連結して断熱壁面３を形成し、この断熱壁面３を複数枚組み合わせて六面体の冷凍車両４の冷凍庫５の壁面にする。断熱パネル連結部材２は、断熱パネル１の両接合部を挟持するように配置した庫外部材６及び庫内部材７と、庫外部材６と庫内部材７とを断熱性結合部材８で結合した部材である。【選択図】  図２
2006207922.tif 000002
【特許請求の範囲】
【請求項１】
複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、
前記断熱パネル連結部材（２）は、前記断熱パネル（１）の両接合縁を挟持するように配置した庫外部材（６）及び庫内部材（７）と、該庫外部材（６）と該庫内部材（７）とを断熱性結合部材（８）で結合した部材であり、
前記庫外部材（６）は、前記冷凍庫（５）の外側に位置し、前記断熱パネル（１）の外壁面の両接合縁に密着するように、横断面が略Ｔ字形状に成り、かつ前記断熱性結合部材（８）の抜け止め部（９）を係合させるカシメ溝（１０）を有する部材であり、
前記庫内部材（７）は、前記冷凍庫（５）の内側に位置し、前記断熱パネル（１）の内壁面の両接合縁に密着するように、横断面が略Ｔ字形状に成り、かつ前記断熱性結合部材（８）の抜け止め部（９）を係合させるカシメ溝（１０）を有する部材であり、
前記断熱性結合部材（８）は、前記庫外部材（６）のカシメ溝（１０）と、前記庫内部材（７）のカシメ溝（１０）とを結合するために、略長方形状の断熱性を有する部材から成り、その両端縁に抜け止め部（９）をそれぞれに形成したものである、ことを特徴とする冷凍車両用断熱パネル連結構造。
【請求項２】
前記庫内部材（７）に、その前記断熱性結合部材（８）の結合端縁に沿って中空の断熱中空部（１４）を形成した、ことを特徴とする請求項１の冷凍車両用断熱パネル連結構造。
【請求項３】
前記庫外部材（６）に、その前記断熱性結合部材（８）の結合端縁に沿って中空の断熱中空部（１４）を形成した、ことを特徴とする請求項１の冷凍車両用断熱パネル連結構造。
【請求項４】
前記庫外部材（６）は、
前記断熱性結合部材（８）の抜け止め部（９）を係合させるカシメ溝（１０）と、
該カシメ溝（１０）の反対側に前記断熱パネル（１）の接合端縁方向に該断熱パネル（１）の外壁面に密着するように抑え板（１１）から突出した２条の係合端縁（１２）が嵌合する溝状に形成した係合受け部（１３）と、から成るものである、ことを特徴とする請求項１の冷凍車両用断熱パネル連結構造。
【請求項５】
複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、
前記冷凍庫（５）のコーナー部分の断熱パネル連結部材（２）は、前記断熱パネル（１）の両接合縁を挟持するように配置した庫外部材（６）及び庫内部材（７）と、該庫外部材（６）と該庫内部材（７）とを断熱性結合部材（８）で結合した部材であり、
前記庫外部材（６）は、前記冷凍庫（５）の外側に位置し、略９０度の角度に開いて配置した２枚の断熱パネル（１）を連結するために、略長方形状の板材を曲折した曲折部材（１５）であり、前記断熱性結合部材（８）の抜け止め部（９）を係合させる２条のカシメ溝（１０）を曲折部材（１５）に略９０度の角度になるように形成したものであり、
前記庫内部材（７）は、前記冷凍庫（５）の内側に位置し、略９０度の角度に開いて配置した２枚の断熱パネル（１）を連結するために、略長方形状の板材を横断面が略Ｌ字形状に成るように形成したＬ字状部材（１６）であり、前記断熱性結合部材（８）の抜け止め部（９）を係合させる２条のカシメ溝（１０）をＬ字状部材（１６）に略９０度の角度を開いてそれぞれに形成したものであり、
前記断熱性結合部材（８）は、前記庫外部材（６）のカシメ溝（１０）と、前記庫内部材（７）のカシメ溝（１０）とを結合するために、略長方形状の部材から成り、その両端縁に抜け止め部（９）を形成した断熱性を有するものである、ことを特徴とする冷凍車両用断熱パネル連結構造。
【請求項６】
前記庫外部材（６）の曲折部材（１５）は、横断面が略湾曲形状になるものである、ことを特徴とする請求項５の冷凍車両用断熱パネル連結構造。
【請求項７】
複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、
前記断熱パネル連結部材（２）は、前記断熱パネル（１）の両接合縁を挟持するように配置した庫外部材（６）及び庫内部材（７）と、該庫外部材（６）と該庫内部材（７）とをボルト（１７）を用いて結合した部材であり、
前記庫外部材（６）は、前記冷凍庫（５）の外側に位置し、前記断熱パネル（１）の外壁面の両接縁に密着するように、横断面が略Ｔ字形状に成り、かつ断熱部材（１８）を介して前記ボルト（１７）が螺合するボルト溝（１９）を形成した部材であり、
前記庫内部材（７）は、前記冷凍庫（５）の内部に位置し、前記断熱パネル（１）の内壁面の両接縁に密着するように、横断面が略Ｔ形状に成り、かつ断熱部材（１８）を介して前記ボルト（１７）を通すボルト挿通孔（２０）を形成した部材である、ことを特徴とする冷凍車両用断熱パネル連結構造。
【請求項８】
複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、
前記冷凍庫（５）のコーナー部分の断熱パネル連結部材（２）は、前記断熱パネル（１）の両接合縁を挟持するように配置した庫外部材（６）及び庫内部材（７）と、該庫外部材（６）と該庫内部材（７）とをボルト（１７）を用いて結合した部材であり、
前記庫外部材（６）は、前記冷凍庫（５）の外側に位置し、略９０度の角度に開いて配置した２枚の断熱パネル（１）を連結するために、略長方形状の板材を曲折した曲折部材（１５）であり、断熱部材（１８）を介して前記ボルト（１７）を通すボルト挿通孔（２０）を曲折部材（１５）に略９０度の角度になるように形成したものであり、
前記庫内部材（７）は、前記冷凍庫（５）の内側に位置し、略９０度の角度に開いて配置した２枚の断熱パネル（１）を連結するために、略長方形状の板材を横断面が略Ｌ字形状に成るように形成したＬ字状部材（１６）であり、断熱部材（１８）を介して前記ボルト（１７）が螺合するボルト溝（１９）を該Ｌ字状部材（１６）に略９０度の角度を開いてそれぞれ形成したものである、ことを特徴とする冷凍車両用断熱パネル連結構造。
【発明の詳細な説明】
【技術分野】
【０００１】
本発明は、冷凍車両の冷凍庫を構成する断熱パネルに係り、特に複数の断熱パネルを連結する冷凍車両用断熱パネル連結構造に関するものである。
【背景技術】
【０００２】
冷凍車両は、冷凍食品、チルド食品のような低温の貨物をその品質を維持しながら輸送するために冷凍庫を備えた貨物自動車である。この冷凍車両の冷凍庫は、断熱材により構成された壁面、床面、天井により囲まれた冷凍庫の内部にエバポレータを設け、冷凍庫の外部に冷凍用コンデンサユニットを設け、この冷凍用コンデンサユニットにより冷却された冷媒をエバポレータに送り込み、ここで蒸発する冷媒が冷凍庫内の熱を奪って庫内の温度を下げるものである。
【０００３】
このような冷凍車両の冷凍庫の構造については、種々の発明が提案されている。例えば特許文献１の特開平８−１５９６３９公報「冷凍車用荷箱」のように、バントラック、バントレーラ等貨物自動車の冷凍物運搬用荷箱の構造が提案されている。
【特許文献１】特開平８−１５９６３９
【０００４】
この冷凍車用荷箱は、周囲の六面を断熱構造からなる壁面により囲繞した車両搭載の冷凍用荷箱において、周囲六面の内少なくとも天井、前壁、側壁の壁面は、外側の金属板の内側に合成樹脂発泡材からなる断熱層を設けたものである。更に、断熱層の内側に板部材を設けた三層構造を有し、断熱層には外側の金属板との間に合成樹脂発泡材を残して窪みを形成し、窪み面は板部材から延びる板材が貼着され、窪みに冷凍設備用のエバポレータを配設してエバポレータの外面が壁面とほぼ同一平面から突出しない位置に配置するとともに、壁面には、窪みと連通する空気流通用の溝を形成したものである。
【発明の開示】
【発明が解決しようとする課題】
【０００５】
しかし、従来の冷凍車両の冷凍庫は、天井、前壁、側壁の壁面はそれぞれ１枚の断熱パネルを六面になるように組み合わせものであるために、例えば側壁の一部に、交通事故が原因となって損傷を受けたときは、その１枚全部の断熱パネルを交換修理しなければならなかった。広い面積の断熱パネルの一部の狭い範囲の損傷箇所にもかかわらず、１枚の断熱パネルを交換することはコスト的に大きな損失であった。しかも、まだ充分に使用できる部分があるにもかかわらず、この１枚の断熱パネルを廃棄することは環境問題にも影響を及ぼすという問題を有していた。
【０００６】
そこで、本発明の発明者らは、冷凍車両の冷凍庫を六面になるように構成する個々の天井、前壁、側壁の壁面はそれぞれ１枚の断熱パネルを複数枚に分割して、壊れた箇所のみを交換修理することに着目した。
【０００７】
このような、複数枚に分割した断熱パネルを連結する技術については種々の発明が提案されている。例えば特許文献２の特開平１０−６８２６８公報「断熱型材及び断熱型材の製造方法」のように、建物の室内と室外のヒートブリッジを遮断する断熱型材の構造が提案されている。
【特許文献２】特開平１０−６８２６８
【０００８】
この断熱型材は、室外側型材と室内側型材及び断熱材を備え、室外側型材と室内側型材を断熱材で連結し、断熱材と室内側、室外側の型材との連結部において、断熱材と型材が隅部を形成する箇所の隅部に、型材の長手方向端部で開放している液抜き間隙を備え、室外側型材と室内側型材を断熱材で連結して室外側型材と室内側型材を熱的に分離した状態で、処理液漕に浸漬して表面処理を施したものである。
【０００９】
この断熱型材の具体的な構造について、特許文献２には、断熱材として予め成形してある断熱ブリッジ材を利用する場合は、次のようにする。室外側型材と室内側型材及び断熱ブリッジ材を準備し、室外側型材と室内側型材の対向面にかしめホールを設けておき、かしめホールに断熱ブリッジ材の両端部をかしめ付けて室外側型材と室内側型材を断熱ブリッジ材で連結するものとする、とされている。
【００１０】
しかし、特許文献２の断熱型材では、建物を目的としたものであるために、断熱ブリッジ材を始めこのような断熱材の構造では外気温が０℃から３０℃前後の幅で、室内温度が１０℃から２５℃程度の温度差を断熱するものであるために高い断熱効果を要求されるものではなかった。
【００１１】
また、特許文献２の断熱型材では、建物を目的としたものであるために、振動対策を考慮していなかった。そこで、この特許文献２の断熱型材をそのまま冷凍車両用断熱パネルに用いることができないという問題を有していた。
【００１２】
本発明は、かかる問題点を解決するために創案されたものである。すなわち、本発明の目的は、複数枚の断熱パネルを着脱自在に連結して断熱壁面を形成することで、冷凍車両の冷凍庫の断熱パネルを部分的に交換修理することができると共に、その修理コストを低減することができる冷凍車両用断熱パネル連結構造を提供することにある。
【課題を解決するための手段】
【００１３】
本発明によれば、複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、前記断熱パネル連結部材（２）は、前記断熱パネル（１）の両接合縁を挟持するように配置した庫外部材（６）及び庫内部材（７）と、該庫外部材（６）と該庫内部材（７）とを断熱性結合部材（８）で結合した部材であり、前記庫外部材（６）は、前記冷凍庫（５）の外側に位置し、前記断熱パネル（１）の外壁面の両接合縁に密着するように、横断面が略Ｔ字形状に成り、かつ前記断熱性結合部材（８）の抜け止め部（９）を係合させるカシメ溝（１０）を有する部材であり、  前記庫内部材（７）は、前記冷凍庫（５）の内側に位置し、前記断熱パネル（１）の内壁面の両接合縁に密着するように、横断面が略Ｔ字形状に成り、かつ前記断熱性結合部材（８）の抜け止め部（９）を係合させるカシメ溝（１０）を有する部材であり、前記断熱性結合部材（８）は、前記庫外部材（６）のカシメ溝（１０）と、前記庫内部材（７）のカシメ溝（１０）とを結合するために、略長方形状の断熱性を有する部材から成り、その両端縁に抜け止め部（９）をそれぞれに形成したものである、ことを特徴とする冷凍車両用断熱パネル連結構造が提供される。
前記庫内部材（７）又は庫外部材（６）に、その前記断熱性結合部材（８）の結合端縁に沿って中空の断熱中空部（１４）を形成したものである。
【００１４】
前記庫外部材（６）は、前記断熱性結合部材（８）の抜け止め部（９）を係合させるカシメ溝（１０）と、該カシメ溝（１０）の反対側に前記断熱パネル（１）の接合端縁方向に該断熱パネル（１）の外壁面に密着するように抑え板（１１）から突出した２条の係合端縁（１２）が嵌合する溝状に形成した係合受け部（１３）と、から成るものである。
【００１５】
コーナー用の連結構造は、複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、前記冷凍庫（５）のコーナー部分の断熱パネル連結部材（２）は、前記断熱パネル（１）の両接合縁を挟持するように配置した庫外部材（６）及び庫内部材（７）と、該庫外部材（６）と該庫内部材（７）とを断熱性結合部材（８）で結合した部材であり、前記庫外部材（６）は、前記冷凍庫（５）の外側に位置し、略９０度の角度に開いて配置した２枚の断熱パネル（１）を連結するために、略長方形状の板材を曲折した曲折部材（１５）であり、前記断熱性結合部材（８）の抜け止め部（９）を係合させる２条のカシメ溝（１０）を曲折部材（１５）に略９０度の角度になるように形成したものであり、前記庫内部材（７）は、前記冷凍庫（５）の内側に位置し、略９０度の角度に開いて配置した２枚の断熱パネル（１）を連結するために、略長方形状の板材を横断面が略Ｌ字形状に成るように形成したＬ字状部材（１６）であり、前記断熱性結合部材（８）の抜け止め部（９）を係合させる２条のカシメ溝（１０）をＬ字状部材（１６）に略９０度の角度を開いてそれぞれに形成したものであり、前記断熱性結合部材（８）は、前記庫外部材（６）のカシメ溝（１０）と、前記庫内部材（７）のカシメ溝（１０）とを結合するために、略長方形状の部材から成り、その両端縁に抜け止め部（９）を形成した断熱性を有するものである。
前記庫外部材（６）の曲折部材（１５）は、横断面が略湾曲形状になるものである。
【００１６】
また、他の連結構造としては、複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、前記断熱パネル連結部材（２）は、前記断熱パネル（１）の両接合縁を挟持するように配置した庫外部材（６）及び庫内部材（７）と、該庫外部材（６）と該庫内部材（７）とをボルト（１７）を用いて結合した部材であり、前記庫外部材（６）は、前記冷凍庫（５）の外側に位置し、前記断熱パネル（１）の外壁面の両接縁に密着するように、横断面が略Ｔ字形状に成り、かつ断熱部材（１８）を介して前記ボルト（１７）が螺合するボルト溝（１９）を形成した部材であり、前記庫内部材（７）は、前記冷凍庫（５）の内部に位置し、前記断熱パネル（１）の内壁面の両接縁に密着するように、横断面が略Ｔ形状に成り、かつ断熱部材（１８）を介して前記ボルト（１７）を通すボルト挿通孔（２０）を形成した部材である。
【００１７】
他のコーナー用連結構造としては、複数枚の断熱パネル（１）を断熱パネル連結部材（２）で着脱自在に連結して断熱壁面（３）を形成し、この断熱壁面（３）を複数枚組み合わせて六面体の冷凍車両（４）の冷凍庫（５）の壁面にする冷凍車両用断熱パネル連結構造であって、前記冷凍庫（５）のコーナー部分の断熱パネル連結部材（２）は、前記断熱パネル（１）の両接合部（）を挟持するように配置した庫外部材（６）及び庫内部材（７）と、該庫外部材（６）と該庫内部材（７）とをボルト（１７）を用いて結合した部材であり、前記庫外部材（６）は、前記冷凍庫（５）の外側に位置し、略９０度の角度に開いて配置した２枚の断熱パネル（１）を連結するために、略長方形状の板材を曲折した曲折部材（１５）であり、断熱部材（１８）を介して前記ボルト（１７）を通すボルト挿通孔（２０）を曲折部材（１５）に略９０度の角度になるように形成したものであり、前記庫内部材（７）は、前記冷凍庫（５）の内側に位置し、略９０度の角度に開いて配置した２枚の断熱パネル（１）を連結するために、略長方形状の板材を横断面が略Ｌ字形状に成るように形成したＬ字状部材（１６）であり、断熱部材（１８）を介して前記ボルト（１７）が螺合するボルト溝（１９）を該Ｌ字状部材（１６）に略９０度の角度を開いてそれぞれ形成したものである。
【発明の効果】
【００１８】
上述したように、本発明では、冷凍車両（４）の冷凍庫（５）を構成する複数枚の断熱壁面（３）を組み合わせて六面体の壁面になるように、各断熱壁面（３）を、複数枚の断熱パネル（１）の両接合縁を断熱パネル連結部材（２）で着脱自在に連結するものであるために、断熱壁面（３）の一部に損傷ができたときは、その部分の断熱パネル（１）のみを交換修理することができる。これにより、交換修理を迅速に完了させることができる。また、修理コストの低減を図ることができる。
【００１９】
断熱パネル（１）を連結する断熱パネル連結部材（２）は、断熱性を有する断熱性結合部材（８）で庫外部材（６）と庫内部材（７）とを結合したものであるために、庫外が４０℃で庫内が−２０〜３０℃という大きな温度差があっても庫内温度が上昇することがない。しかも、この断熱パネル連結部材（２）は、庫外部材（６）と庫内部材（７）とが断熱パネル（１）の両接合縁を挟持するように固定する構造であるために、冷凍車両のように激しい振動を受ける状態でもこの接合部が弛緩するという不具合は生じない。
【００２０】
また、更に、庫外部材（６）又は庫内部材（７）の断熱性結合部材（８）の結合方向に形成した中空の断熱中空部（１４）により、文字通りの断熱性の向上に寄与することができる。しかも、この断熱中空部（１４）は支柱という構造体としての機能を有するので、結合部分の機械強度を高め、断熱パネル連結部材（２）自体の機械強度を高めている。
【発明を実施するための最良の形態】
【００２１】
本発明は、複数枚の断熱パネルの両接合部を断熱パネル連結部材で着脱自在に連結して断熱壁面を形成し、この複数枚の断熱壁面を組み合わせて六面体の壁面からなる冷凍車両の冷凍庫を構成するための冷凍車両用断熱パネル連結構造である。
【００２２】
以下、本発明の好ましい実施の形態を図面を参照して説明する。
図１は本発明の冷凍車両用断熱パネル連結構造の断熱壁面から成る冷凍庫を備えた冷凍車両の平断面図である。
本発明の冷凍車両用断熱パネル連結構造は、複数枚の断熱パネル１を断熱パネル連結部材２で着脱自在に連結して断熱壁面３を形成し、この断熱壁面３を複数枚組み合わせて六面体の冷凍車両４の冷凍庫５の壁面にするものである。例えば、図示例の両側の断熱壁面３は４枚の断熱パネル１を３個の断熱パネル連結部材２で着脱自在に連結したものである。但し、図示例のように断熱パネル１の枚数は限定されないことは勿論である。また、冷凍車両の構造も図１に示すような車両後部にドアを設けたものに限定されず、いわゆる冷凍ウィングと称される側壁面が跳ね上げられる構造の冷凍車両（図示していない）であってもよい。このような冷凍ウィングの断熱パネルにも本発明の断熱パネル連結構造を実施することができる。
【実施例１】
【００２３】
図２は本発明の実施例１の断熱パネル連結構造の平断面図である。図３は断熱パネル連結部材の拡大断面図である。
本発明の冷凍車両用断熱パネル連結部材２は、断熱パネル１の両接合部を挟持するように配置した庫外部材６及び庫内部材７と、庫外部材６と庫内部材７とを断熱性結合部材８で結合した部材である。
【００２４】
庫外部材６は、冷凍庫５の外側に位置し（図１参照）、断熱パネル１の外壁面の両接合縁に密着するように、横断面が略Ｔ字形状に成り、かつ断熱性結合部材８の抜け止め部９を係合させるカシメ溝１０を有する部材である。この庫外部材６は、例えば、アルミニウムのような軽量かつある程度の強度を有する金属製の部材である。但し、アルミニウムに限定されないことは勿論である。図３に示すように、庫外部材６は、断熱性結合部材８の抜け止め部９を係合させるカシメ溝１０と、カシメ溝１０の反対側に断熱パネル１の接合端縁方向に断熱パネル１の外壁面に密着するように抑え板１１から突出した２条の係合端縁１２が嵌合する溝状に形成した係合受け部１３と、から成るものである。
【００２５】
一方、庫内部材７は、冷凍庫５の内側に位置し、断熱パネル１の内壁面の両接合縁に密着するように、横断面が略Ｔ字形状に成り、かつ断熱性結合部材８の抜け止め部９を係合させるカシメ溝１０を有する部材である。この庫内部材７は、例えば、アルミニウムのような軽量かつある程度の強度を有する金属製の部材である。但し、アルミニウムに限定されないことは勿論である。なお、これら庫外部材６と庫内部材７とは内外を逆に配置することも可能である。
【００２６】
断熱性結合部材８は、例えば強化プラスチック製の部材からなり、庫外部材６のカシメ溝１０と、庫内部材７のカシメ溝１０とを結合するために、略長方形状の断熱性を有する部材から成り、その両端縁に抜け止め部９をそれぞれに形成したものである。このように構成した断熱パネル連結部材２のそれぞれの庫外部材６と庫内部材７とで形成される挟持空間に断熱パネル１の両接合縁を挟み込んで挟持固定する。この断熱パネル連結部材２が断熱パネル１の両接合縁を固定する構造であるために、冷凍車両４のように激しい振動を受ける状態でもこの接合部が弛緩するという不具合は生じないようになっている。
【００２７】
断熱性結合部材８は、図示例では全体が強化プラスチック製の部材としているが、庫外部材６又は庫内部材７との結合する部分に断熱性を有する部材を介在させる構造であれば、断熱性結合部材８自体に金属製の部材を用いることも可能である。
【００２８】
図３に示すように、庫内部材７に、その断熱性結合部材８の結合端縁に沿って中空の断熱中空部１４を形成した。この庫内部材７の断熱性結合部材８の結合方向に形成した中空の断熱中空部１４により、文字通りの断熱性の向上に寄与することができる。しかも、この断熱中空部１４は支柱という構造体としての機能を有するので、結合部分の機械強度を高め、断熱パネル連結部材２自体の機械強度を高めている。この断熱中空部１４は、庫外部材６に、その断熱性結合部材８の結合端縁に沿って形成することも可能である。
【００２９】
上述したように、本発明は冷凍庫５を構成する断熱壁面３を、複数枚の断熱パネル１の両接合縁を断熱パネル連結部材２で着脱自在に連結するものであるために、冷凍庫５の断熱壁面３の一部に損傷ができたときは、その部分の断熱パネル１のみを交換修理することができる。これにより、交換修理を迅速に完了させることができる。また、修理コストの低減を図ることができる。
【００３０】
断熱パネル１を連結する断熱パネル連結部材２は、断熱性を有する断熱性結合部材８で庫外部材６と庫内部材７とを結合したものであるために、庫外が４０℃で庫内が−２０〜３０℃という大きな温度差があっても庫内温度が上昇することがない。
【００３１】
図４は本発明の実施例１の断熱パネル連結構造の変形例を示す平断面図である。
本発明の冷凍車両用断熱パネル連結部材２は、断熱パネル１の厚みに応じて、庫外部材６、庫内部材７又は断熱性結合部材８の何れかの寸法を可変させるだけで、種々の厚み断熱パネル１に対応することができる。
【実施例２】
【００３２】
図５は本発明の実施例２のコーナー用の断熱パネル連結構造の平断面図である。図６は実施例２の断熱パネル連結部材の拡大断面図である。
実施例３の断熱パネル連結構造は、冷凍庫５のコーナー部分の断熱パネル連結部材２で略９０度の角度に開いて配置した２枚の断熱パネル１を連結するものである。この冷凍庫５のコーナー部分の断熱パネル連結部材２は、断熱パネル１の両接合部を挟持するように配置した庫外部材６及び庫内部材７と、庫外部材６と庫内部材７とを断熱性結合部材８で結合した部材である。
【００３３】
この庫外部材６は、冷凍庫５の外側に位置し、略９０度の角度に開いて配置した２枚の断熱パネル１を連結するために、略長方形状の板材を例えば横断面が略湾曲形状になるように曲折した曲折部材１５であり、断熱性結合部材８の抜け止め部９を係合させる２条のカシメ溝１０を曲折部材１５に略９０度の角度になるように形成したものである。また、庫内部材７は、冷凍庫５の内側に位置し、略９０度の角度に開いて配置した２枚の断熱パネル１を連結するために、略長方形状の板材を横断面が略Ｌ字形状に成るように形成したＬ字状部材１６であり、断熱性結合部材８の抜け止め部９を係合させる２条のカシメ溝１０をＬ字状部材１６に略９０度の角度を開いてそれぞれに形成したものである。断熱性結合部材８は、庫外部材６のカシメ溝１０と、庫内部材７のカシメ溝１０とを結合するために、略長方形状の部材から成り、その両端縁に抜け止め部９を形成した断熱性を有するものである。
【実施例３】
【００３４】
図７は本発明の実施例３のボルト締結式の断熱パネル連結構造の平断面図である。図８は実施例３の断熱パネル連結部材の拡大断面図である。
実施例３のボルト締結式の断熱パネル連結構造は、上述した断熱性結合部材８に代えてボルト１７により庫外部材６と庫内部材７とを結合する構造である。この断熱パネル連結部材２は、断熱パネル１の両接合部を挟持するように配置した庫外部材６及び庫内部材７と、庫外部材６と庫内部材７とをボルト１７を用いて結合した部材である。
【００３５】
庫外部材６は、冷凍庫５の外側に位置し、断熱パネル１の外壁面の両接縁に密着するように、横断面が略Ｔ字形状に成り、かつ断熱部材１８を介してボルト１７が螺合するボルト溝１９を形成した部材である。また、庫内部材７は、冷凍庫５の内部に位置し、断熱パネル１の内壁面の両接縁に密着するように、横断面が略Ｔ形状に成り、かつ断熱部材１８を介してボルト１７を通すボルト挿通孔２０を形成した部材である。このようにボルト締結式を用いることにより、断熱パネル連結部材２で断熱パネル１を迅速に挟持固定しやすい。
【実施例４】
【００３６】
図９は本発明の実施例４のボルト締結式のコーナー用の断熱パネル連結構造の平断面図である。
実施例４のボルト締結式の断熱パネル連結構造は、冷凍庫５のコーナー部分の断熱パネル連結部材２で略９０度の角度に開いて配置した２枚の断熱パネル１を連結するものである。この冷凍庫５のコーナー部分の断熱パネル連結部材２は、断熱パネル１の両接合縁を挟持するように配置した庫外部材６及び庫内部材７と、庫外部材６と庫内部材７とをボルト１７を用いて結合した部材である。
【００３７】
庫外部材６は、冷凍庫５の外側に位置し、略９０度の角度に開いて配置した２枚の断熱パネル１を連結するために、略長方形状の板材を曲折した曲折部材１５であり、断熱部材１８を介してボルト１７を通すボルト挿通孔２０を曲折部材１５に略９０度の角度になるように形成したものである。庫内部材７は、冷凍庫５の内側に位置し、略９０度の角度に開いて配置した２枚の断熱パネル１を連結するために、略長方形状の板材を横断面が略Ｌ字形状に成るように形成したＬ字状部材１６であり、断熱部材１８を介してボルト１７が螺合するボルト溝１９をＬ字状部材１６に略９０度の角度を開いてそれぞれ形成したものである。
【００３８】
このような実施例３と４のようなボルト締結式の断熱パネル連結構造であっても、断熱パネル連結部材２が、庫外部材６と庫内部材７とにより断熱パネル１の両接合縁を挟持するように固定する構造であるために、冷凍車両４のように激しい振動を受ける状態でもこの断熱パネル１の接合部が弛緩するという不具合は生じない。
【００３９】
なお、本発明は上述した発明の実施の形態に限定されず、冷凍車両４の冷凍庫５の断熱パネル１を部分的に交換修理するために、複数枚の断熱パネル１を着脱自在に連結することができる構造であれば、図示したような構成に限定されず、本発明の要旨を逸脱しない範囲で種々変更できることは勿論である。
【産業上の利用可能性】
【００４０】
本発明の冷凍車両用断熱パネル連結構造は、主に冷凍車両に利用できるだけでなく、その他の構造の冷蔵車両又は温蔵車両の断熱パネルとして利用することができる。
【図面の簡単な説明】
【００４１】
【図１】本発明の冷凍車両用断熱パネル連結構造の断熱壁面から成る冷凍庫を備えた冷凍車両の平断面図である。
【図２】本発明の実施例１の断熱パネル連結構造の平断面図である。
【図３】断熱パネル連結部材の拡大断面図である。
【図４】本発明の実施例１の断熱パネル連結構造の変形例を示す平断面図である。
【図５】本発明の実施例２のコーナー用の断熱パネル連結構造の平断面図である。
【図６】実施例２の断熱パネル連結部材の拡大断面図である。
【図７】本発明の実施例３のボルト締結式の断熱パネル連結構造の平断面図である。
【図８】実施例３の断熱パネル連結部材の拡大断面図である。
【図９】本発明の実施例４のボルト締結式のコーナー用の断熱パネル連結構造の平断面図である。
【符号の説明】
【００４２】
１  断熱パネル
２  断熱パネル連結部材
３  断熱壁面
４  冷凍車両
５  冷凍庫
６  庫外部材
７  庫内部材
８  断熱性結合部材
９  抜け止め部
１０  カシメ溝
１１  抑え板
１２  ２条の係合端縁
１３  係合受け部
１４  断熱中空部
１５  曲折部材
１６  Ｌ字状部材
１７  ボルト
１８  断熱部材
１９  ボルト溝
２０  ボルト挿通孔
【図１】
2006207922.tif 000003
【図２】
2006207922.tif 000004
【図３】
2006207922.tif 000005
【図４】
2006207922.tif 000006
【図５】
2006207922.tif 000007
【図６】
2006207922.tif 000008
【図７】
2006207922.tif 000009
【図８】
2006207922.tif 000010
【図９】
2006207922.tif 000011